(57)【特許請求の範囲】
【請求項１】
少なくとも３つの層のパターンを含むセキュリティ要素であって、第１の層は、第１の電磁放射線と相互作用することができるが第２及び第３の電磁放射線とは相互作用しない第１の材料を含み、第２の層は、前記第２の電磁放射線と相互作用することができるが第１及び第３の電磁放射線とは相互作用しない第２の材料を含み、第３の層は、第３の電磁放射線と相互作用することができるが第１及び第２の電磁放射線とは相互作用しない第３の材料を含み、前記パターンは、少なくとも前記第１、第２、及び第３の電磁放射線を別々に発することが可能な光源で順次式照明に当てた時に視覚的な運動効果をもたらす、セキュリティ要素。
【請求項２】
前記少なくとも３つの層が、類似する物の異なる姿態の連続を表す、請求項１に記載のセキュリティ要素。
【請求項３】
前記層の少なくとも２つが互いに隣接しているか、互いから離間しているか、又は少なくとも部分的に互いと重畳している、請求項１又は２に記載のセキュリティ要素。
【請求項４】
前記少なくとも３つの層が、昼光下で見るか、又は観察した時に同じ色を有するか、又は異なる色を有する、請求項１〜３のいずれか一項に記載のセキュリティ要素。
【請求項５】
前記第１の材料が、１つ又は複数の左円偏光コレステリック液晶材料からなる群から選択される、請求項１〜４のいずれか一項に記載のセキュリティ要素。
【請求項６】
第２の材料が、１つ又は複数の右円偏光コレステリック液晶材料からなる群から選択される、請求項１〜５のいずれか一項に記載のセキュリティ要素。
【請求項７】
前記第３の材料が、１つ又は複数の発光性材料からなる群から選択される請求項１〜６のいずれか一項に記載のセキュリティ要素。
【請求項８】
前記第１の材料が、１つ又は複数の左円偏光コレステリック液晶材料からなる群から選択され、前記第２の材料が、１つ又は複数の右円偏光コレステリック液晶材料からなる群から選択され、前記第３の材料が、１つ又は複数の発光性材料からなる群から選択される請求項１〜７のいずれか一項に記載のセキュリティ要素。
【請求項９】
請求項１〜８のいずれか一項に記載のセキュリティ要素を製造するプロセスであって、
前記第１の材料を含む少なくとも第１のインク組成物を好ましくはコーティング法又は印刷法で塗布することにより前記第１の層を形成し、前記第２の材料を含む少なくとも第２のインク組成物を好ましくはコーティング法又は印刷法で塗布することにより前記第２の層を形成し、前記第３の材料を含む第３のインク組成物を好ましくはコーティング法又は印刷法で塗布することにより前記第３の層を形成し、それにより、前記第１、第２、及び第３の電磁放射線を別々に発することが可能な光源で順次式照明に当てた時に視覚的な運動効果をもたらすパターンを形成するステップを含む、プロセス。
【請求項１０】
セキュリティ文書を不正行為又は不法な複製から保護するための、請求項１〜８のいずれか一項に記載のセキュリティ要素の使用。
【請求項１１】
請求項１〜８のいずれか一項に記載のセキュリティ要素を含む、セキュリティ文書。
【請求項１２】
視覚的な運動効果を作り出す方法であって、
ｉ）請求項１〜８のいずれか一項に記載のセキュリティ要素を用意するステップと、
ｉｉ）少なくとも前記第１、第２、及び第３の電磁放射線を別々に発することが可能な光源で前記セキュリティ要素を順次照明するステップと、
を含む、方法。
【請求項１３】
前記セキュリティ要素が、ａ）１つ又は複数の左円偏光コレステリック液晶材料を含む第１の層、ｂ）１つ又は複数の右円偏光コレステリック液晶材料を含む第２の層、及び、ｃ）１つ又は複数の発光性材料を含む第３の層を含み、前記順次照明するステップが、３セットのランプを備える光源を使用して行われ、前記ランプのセットのうち第１のセットは左偏光フィルタを備え、前記ランプのセットのうち第２のセットは右偏光フィルタを備え、前記ランプのセットのうち第３のセットはＵＶランプで構成される、請求項１２に記載の方法。
【請求項１４】
前記視覚的な運動効果を検証することにより前記セキュリティ要素を認証するステップをさらに含む、請求項１２又は１３に記載の方法。
【請求項１５】
前記セキュリティ要素がセキュリティ文書に設けられる、請求項１２〜１４のいずれか一項に記載の方法。
【発明の詳細な説明】
【発明の詳細な説明】
【０００１】
［発明の分野］
[001]本発明はセキュリティ要素の分野、並びにセキュリティ文書を偽造及び不法な複製から保護するためのその使用に関する。特に、本発明は、順次式の照明に当てた時に動的な視覚的運動を示すセキュリティ要素の分野に関する。
【０００２】
［発明の背景］
[002]カラーの複写物や印刷物の品質が向上し続けるのに伴い、複製可能な効果を持たない、紙幣、高価値の文書やカード、交通機関の乗車券やカード、タックスバンダロール（ｔａｘ  ｂａｎｄｅｒｏｌ）、製品ラベルなどのセキュリティ文書を、偽造、変造、又は不法な複製から保護することを試みて、そのような文書に各種のセキュリティ手段を組み込むことが従来行われている。セキュリティ手段の典型的な例には、光学的に変化する顔料、磁性又は磁化可能な薄膜干渉顔料、干渉被膜が施された粒子、熱変色性顔料、光互変性顔料、発光性化合物、赤外線吸収化合物、紫外線吸収化合物、又は磁性化合物を含んでいる、セキュリティスレッド、窓、繊維、プランシェット（ｐｌａｎｃｈｅｔｔｅ）、箔、転写図柄、ホログラム、透かし、セキュリティインク、又は組成物等がある。
【０００３】
[003]セキュリティ文書を偽造や不法な複製から保護するために使用される静的なセキュリティ機能に加えて、光学的な動きの錯覚をもたらす動的なセキュリティ機能が開発されている。特に、光学的な動きの錯覚をもたらす、配向磁性顔料又は磁化可能顔料、及び光学的に変化する磁性顔料又は磁化可能な顔料を利用したセキュリティ要素が開発されている。
【０００４】
[004]国際公開第２００４／００７０９５号は、「ローリングバー（ｒｏｌｌｉｎｇ  ｂａｒ：転がる棒）」機能として知られる、光学的に変化する動的な効果の作成を開示する。「ローリングバー」機能は、配向された磁性顔料又は磁化可能顔料で構成された像に光学的な動きの錯覚を与える。印刷された「ローリングバー」タイプの像は、像が傾けられると動く（「転がる」（ｒｏｌｌ））ように見えるコントラストのある帯を示す。米国特許第７，５１７，５７８号及び国際公開第２０１２／１０４０９８号はそれぞれ「二重ローリングバー」機能及び「三重ローリングバー」機能を開示し、前記機能は傾けると互いに反する方向に動くように見える。
【０００５】
[005]国際公開第２０１１／０９２５０２号は、見る角度が変化すると動いているように見える環を示す動く環の像（「転がる環（ｒｏｌｌｉｎｇ  ｒｉｎｇ）」の効果」を開示し、前記動く環の像は配向された磁性顔料又は磁化可能顔料からなる。
【０００６】
[006]或いは、実際の動的な運動を表示するセキュリティ要素を提供する方法が開発されている。米国特許出願公開第２０１２／００７４６８２号は、媒体上に視覚的な動画像を作り出す方法を開示し、開示される方法は、少なくとも２種類の反応性薬剤を、媒体の少なくとも２つの隣接する領域にそれぞれ配置するステップを含み、前記薬剤はそれぞれ１つの同じ刺激に反応して視覚的な効果を生成する。米国特許出願公開第２０１２／０１７４４４７号は、セキュリティ要素を観察する方向を変えることによって連続的に観察する時に視覚的な動画像効果を呈することができる光学系を備えたセキュリティ要素を開示する。開示される光学系は、透明又は半透明の基材を含み、基材の第１の表面の側に、複数の交互に配置された符号化像を含む合成像と、第１の表面と反対側の基材の第２の表面の側に、合成像の上に配置された露出スクリーンとを含み、それにより、光学系に対してセキュリティ要素を観察する方向を変えた時に符号化像を観察することができ、符号化像は、基材の第１の表面の側及び基材の第２の表面の側から観察することができる。
【０００７】
[007]セキュリティ文書のコピー防止手段として動的な視覚的運動を示すセキュリティ要素が依然として必要とされており、前記セキュリティ要素は、容易に検出及び認識できることと、コピーが困難であることを兼ね備える。
【０００８】
［発明の概要］
[008]したがって、本発明の目的は、順次式照明に当てた時に動的な視覚的運動を示すセキュリティ要素及び前記セキュリティ要素を含んでいるセキュリティ文書を提供することである。これは請求項１のセキュリティ要素によって実現される。特に、本発明は、少なくとも３つの層のパターンを含むセキュリティ要素に関し、第１の層は、第１の電磁放射線と相互作用することができるが第２及び第３の電磁放射線とは相互作用しない第１の材料を含み、第２の層は、第２の電磁放射線と相互作用することができるが第１及び第３の電磁放射線とは相互作用しない第２の材料を含み、第３の層は、第３の電磁放射線と相互作用することができるが第１及び第２の電磁放射線とは相互作用しない第３の材料を含み、前記パターンは、少なくとも第１、第２、及び第３の電磁放射線を別々に発することが可能な光源で順次式照明に当てた時に視覚的な運動効果をもたらす。
【０００９】
[009]本明細書には、セキュリティ文書を不正行為又は不法な複製から保護するための本明細書に記載のセキュリティ要素の使用、並びに、本明細書に記載されるセキュリティ要素を含んでいるセキュリティ文書も請求及び記載される。
【００１０】
[010]本明細書には、前記セキュリティ要素を製造するプロセスも請求及び記載され、このプロセスは、第１の材料を含む少なくとも第１のインク組成物を好ましくはコーティング法又は印刷法で塗布することにより第１の層を形成し、第２の材料を含む少なくとも第２のインク組成物を好ましくはコーティング法又は印刷法で塗布することにより第２の層を形成し、第３の材料を含む第３のインク組成物を好ましくはコーティング法又は印刷法で塗布することにより第３の層を形成し、それにより、第１、第２、及び第３の電磁放射線を別々に発することが可能な光源で順次式照明に当てた時に視覚的な運動効果をもたらすパターンを形成するステップを含む。
【００１１】
[011]本明細書には、視覚的な運動効果を作り出す方法も請求及び記載され、この方法は、前記セキュリティ要素を用意するステップ、及び、少なくとも前記第１、第２、及び第３の電磁放射線を別々に発することが可能な光源で前記セキュリティ要素を順次照明するステップを含む。
【００１２】
[012]本明細書に記載されるパターンの第１、第２、及び第３の層を順次照明することにより、観察者が視覚的運動を見ることができる。順次式照明は、光源を使用することによって層の連続を明らかにすることができ、それにより、セキュリティ要素で観察者の目に見える視覚的運動を作り出すことができる。順次式照明に当てた時の本明細書に記載されるセキュリティ要素の動的な性質は前記セキュリティ要素を写真複写することでは取り込むことができず、そのためセキュリティ要素のセキュリティレベルが特に高くなる。
【図面の簡単な説明】
【００１３】
【図１Ａ−１Ｅ】[013]順次式照明下で車輪の視覚的運動を呈する本発明のセキュリティ要素の一実施形態を示す図であり、図１Ａは前記セキュリティ要素の側面図であり、図１Ｂは、前記車輪の第１の姿態をもたらす図１Ａのセキュリティ要素の層１の上面図であり、図１Ｃは、前記車輪の第２の姿態をもたらす図１Ａのセキュリティ要素の層２の上面図であり、図１Ｄは、前記車輪の第３の姿態をもたらす図１Ａのセキュリティ要素の層３の上面図であり、図１Ｅは、層１〜３の重畳を示す図１Ａのセキュリティ要素の上面図である。
【図２Ａ−２Ｃ】[014]順次式照明下で渦巻きの視覚的運動を呈する本発明のセキュリティ要素の別の実施形態を示す図であり、前記渦巻きの異なる姿態をもたらす前記セキュリティ要素の重畳した層の上面図である。
【図３Ａ−３Ｃ】[015]順次式照明下で馬車の視覚的運動を呈する本発明のセキュリティ要素の別の実施形態を示す図であり、前記馬車の異なる姿態をもたらす前記セキュリティ要素の重畳した層の上面図である。
【図４Ａ−４Ｃ】[016]順次式照明下でボールの視覚的運動を呈する本発明のセキュリティ要素の別の実施形態を示す図であり、前記ボールの異なる姿態をもたらす前記セキュリティ要素の離間した層の上面図である。
【図５Ａ−５Ｃ】[017]順次式照明下で満ち欠けする月の視覚的運動を呈する本発明のセキュリティ要素の別の実施形態を示す図であり、前記月の異なる姿態をもたらす前記セキュリティ要素の離間した層の上面図である。
【図５Ｄ−５Ｇ】[018]順次式照明下で満ち欠けする月の視覚的運動を呈する本発明のセキュリティ要素の別の実施形態を示す図であり、図５Ｄ〜５Ｆは、前記月の異なる姿態をもたらす前記セキュリティ要素の重畳した層の上面図であり、図５Ｇは、図５Ｄ〜５Ｆに示す層の重畳を示した前記セキュリティ要素の上面図である。
【００１４】
［詳細な説明］
［定義］
[019]以下の定義を使用して、詳細な説明で論じられる用語及び特許請求の範囲で述べられる用語の意味を解釈すべきである。
【００１５】
[020]本明細書で使用される場合、冠詞「ａ」は、１つ及び２つ以上の両方を意味し、その冠詞で指示される名詞を単数に制限するとは限らない。
【００１６】
[021]本明細書で使用される場合、用語「約」は、当該の量又は値が、指定された特定の値である場合も、その近傍にある何らかの他の値である場合もあることを意味する。一般に、ある値を意味する用語「約」は、その値の±５％以内の範囲を意味することが意図される。一例として、「約１００」という表現は、１００±５の範囲、すなわち９５〜１０５の範囲を意味する。用語「約」によって表される範囲は当該値の±３％以内、より好ましくは±１％以内の範囲を意味することが好ましい。一般に、用語「約」が使用される場合には、本発明と同様の結果又は効果が、示される値の±５％の範囲内で得られることを期待することができる。
【００１７】
[022]本明細書で使用される場合、用語「及び／又は」は、その群の要素のすべて又は１つのみが存在する可能性のあることを意味する。例えば、「Ａ及び／又はＢ」は、「Ａのみ、Ｂのみ、又はＡとＢの両方」を意味するものとする。「Ａのみ」という場合、この用語は、Ｂが存在しない、すなわち「ＡのみでＢはない」可能性も包含する。
【００１８】
[023]本明細書で使用される場合、用語「少なくとも」は、１つ又は２つ以上、例えば１つ、又は２つ、又は３つを定義するものとする。
【００１９】
[024]本明細書で使用される用語「を含む」は、非排他的でオープンエンドの意味とする。したがって、例えば化合物Ａを含む組成物は、Ａ以外に他の化合物も含む可能性がある。
【００２０】
[025]用語「セキュリティ要素」は、セキュリティ文書の真正性を判定し、文書を偽造や不法な複製から保護することを目的とするセキュリティ文書の要素又は機能を意味するものとする。
【００２１】
[026]用語「セキュリティ文書」は、通常少なくとも１つのセキュリティ機能によって偽造や不正行為から保護される文書を言う。セキュリティ文書の例には、これらに限定されないが、高価値の文書及び高価値の商品が含まれる。高価値の文書の典型的な例には、これらに限定されないが、紙幣、証書、券、小切手、領収証、収入印紙や税額の表示（ｔａｘ  ｌａｂｅｌ）、契約書等、パスポートやＩＤカードなどの身元証明文書、ビザ、銀行カード、クレジットカード、トランザクションカード、アクセス文書、入場券等が含まれる。
【００２２】
[027]用語「類似する物」は、動くか、又は別の形態で変容する１つの特定の物（満ち欠けする月など）の異なる姿態を言う。
【００２３】
[028]用語「視覚的運動」は、物の動き又は別の変容（満ち欠けする月など）として人間の目に観察される効果を言う。
【００２４】
[029]用語「順次式照明」は、本発明のセキュリティ要素を種々の電磁放射線で順次照明することを言い、すなわち、セキュリティ要素が第１の電磁放射線で照明され、その後第２の電磁放射線で照明されることなどを言う。
【００２５】
[030]用語「隣接する」は、本発明のセキュリティ要素の各層を互いと接触するように配置することを言う。
【００２６】
[031]一態様で、本発明は、少なくとも３つの層、すなわち少なくとも第１の層、第２の層、及び第３の層を含むパターンからなるセキュリティ要素に関し、前記セキュリティ要素はセキュリティ文書の表面に設けることができる。本明細書に記載される３つ又はそれ以上の層を含むパターンは、少なくとも３種のインク組成物を好ましくはコーティング法又は印刷法で塗布することにより少なくとも３つの層を形成することにより作製される。好ましい実施形態によると、少なくとも３つの層はそれぞれ、それら少なくとも３つの層で構成される類似する物又は類似する図形的物体の一姿態に対応する。本明細書に記載されるセキュリティ要素の動的な運動は、観察者が、適切な照明機器を使用して、層の逐次的な視覚化をもたらすことによって視覚的運動の印象を作り出すことにより視覚的運動の印象を作り出す時に観察することができる。本発明の好ましい実施形態によると、少なくとも３つの層は、順次式照明に当てられると、類似する物の少なくとも３つの異なる姿態の連続を表し、セキュリティ要素として動的な視覚的運動を呈する図形的物体を表す。言い換えると、順次式照明に当てられた時、少なくとも３つの層の組み合わせは類似する物の少なくとも３つの異なる姿態に相当し、それにより前記物が動いているという光学的錯覚を観察者に与える。
【００２７】
[032]本明細書に記載されるセキュリティ要素は、第１の電磁放射線と相互作用することができるが第２及び第３の電磁放射線とは相互作用しない第１の材料を含有する第１の層と、第２の電磁放射線と相互作用することができるが第１及び第３の電磁放射線とは相互作用しない第２の材料を含有する第２の層と、第３の電磁放射線と相互作用することができるが第１及び第２の電磁放射線とは相互作用しない第３の材料を含有する第３の層とを含む。セキュリティ要素は、第１の材料を含む第１のインク組成物を、好ましくはコーティング法又は印刷法で塗布することにより少なくとも第１の層を形成し、少なくとも、第２の材料を含む第２のインク組成物を好ましくはコーティング法又は印刷法で塗布することにより第２の層を形成し、第３の材料を含む第３のインク組成物を好ましくはコーティング法又は印刷法で塗布することにより第３の層を形成し、それにより、第１、第２、及び第３の電磁放射線を別々に発することが可能な光源で順次式照明に当てた時に視覚的運動効果をもたらすパターンを形成するステップを含むプロセスにより製造することができる。
【００２８】
[033]１種類の電磁放射線のみと相互作用する材料は当業者に知られている。例えば、例えばＵＶ又はＩＲ放射が照射された時にのみ放射を発する材料が知られている。また、円偏光光とのみ相互作用する材料（キラル材料）が知られている。本発明によると、基本的には、本発明のセキュリティ要素にはそのような材料をどれでも使用することができる。本明細書に記載される第１の材料は、１つ又は複数の左円偏光コレステリック液晶材料からなる群から選択されることが好ましい。本明細書に記載される第２の材料は、１つ又は複数の右円偏光コレステリック液晶材料からなる群から選択されることが好ましい。本明細書に記載される第３の材料は、１つ又は複数の発光性材料からなる群から選択されることが好ましい。
【００２９】
[034]本発明の好ましい実施形態によると、本明細書に記載されるセキュリティ要素は、ａ）１つ又は複数の左円偏光コレステリック液晶材料を含む第１の層、ｂ）１つ又は複数の右円偏光コレステリック液晶材料を含む第２の層、及びｃ）１つ又は複数の発光性材料を含む第３の層を含む。
【００３０】
[035]コレステリック相の液晶は、液晶分子の長さ方向の軸に直交するらせん状超構造の形態の分子秩序を呈する。コレステリック液晶ポリマーは、キラル相を持つ１つ又は複数の架橋性物質（ネマティック化合物）に整列及び配向を施すことによって得ることができる。らせん状の分子配置が特定の状況になると、コレステリック液晶材料が所定の波長範囲内の円偏光光成分を反射する性質を呈し、すなわちコレステリック液晶材料は左円偏光コレステリック液晶材料又は右円偏光コレステリック液晶材料であってもよい。間隔（すなわち３６０°分のらせん状の配置が完全に一回転する距離）は、温度や溶剤の濃度などの選択可能な要因を変化させることにより、また（１つ又は複数の）キラル成分の性質とネマティック化合物とキラル化合物の比を変えることにより、特に調節することができる。ＵＶ放射の影響下で行われる架橋は、最終的に得られるコレステリック液晶材料の性質が温度などの外部要因に依存しなくなるように所望のらせん形状を固定することにより所定の状態で間隔を固定する。本発明で使用される１つ又は複数のコレステリック液晶材料はコレステリック液晶顔料であることが好ましい。コレステリック液晶顔料は、本明細書に記載されるセキュリティ要素を印刷するために選択される印刷法に従って従来のインク組成物に組み込むことができる。適切なインク組成物の例は、例えばＴｈｅ  Ｐｒｉｎｔｉｎｇ  Ｉｎｋ  Ｍａｎｕａｌ，  Ｅｄ  Ｒ．Ｈ．Ｌｅａｃｈ，  Ｒ．Ｊ．Ｐｉｅｒｃｅ，  ５ｔｈ  Ｅｄｉｔｉｏｎで得ることができる。コレステリック液晶ポリマーは、後にポリマーを粉砕して所望の粒子サイズにすることにより、コレステリック液晶顔料に合わせて成形することができる。コレステリック液晶材料で作製された膜及び顔料の例並びにその調製については、米国特許第５，２１１，８７７号、米国特許第５，３６２，３１５号、及び米国特許第６，４２３，２４６号、欧州特許第１  ２１３  ３３８号、欧州特許第１  ０４６  ６９２号、及び欧州特許第０  ６０１  ４８３号に開示され、これら文献の個々の開示内容は参照により本明細書に組み込まれる。本発明に適する左又は右円偏光コレステリック液晶顔料は当技術分野で知られており、例えば米国特許第６，４１０，１３０号、欧州特許出願公開第１  ２１３  ３３８号、欧州特許出願公開第１  ０４６  ６９２号、又は欧州特許出願公開第０  ６０１  ４８３号に開示され、これら文献の個々の開示内容は参照により本明細書に組み込まれる。
【００３１】
[036]コレステリック液晶材料は、そのらせん状の超構造が由来となって液晶材料全体の屈折率変調が周期的になり、その結果所定の波長の光が選択的に透過／反射されるため（干渉フィルタ効果）、色変化性（当技術分野では光学的に変化する性質又はゴニオクロマティック（ｇｏｎｉｏｃｈｒｏｍａｔｉｃ）性とも呼ばれる）を呈し、すなわち、見る角度又は入射角に依存した色を呈することが有利である。色変化性を呈するセキュリティ要素は、紙幣やその他のセキュリティ文書を、カラースキャン、印刷、及びコピー用の一般に入手可能なオフィス機器による偽造及び／又は不法な複製から保護するために使用され、路上にいる人が、セキュリティ要素を傾けることによって前記セキュリティ要素の真正性を容易に確認することができる。セキュリティ要素又は前記セキュリティ要素を含んでいるセキュリティ文書を補助なしの人間の感覚で容易に検出し、認識し、及び／又は発生する可能性のある偽造品から区別することを可能にするコレステリック液晶材料の色変化性によって得られる明白なセキュリティに加えて、コレステリック液晶材料の色変化性は、セキュリティ要素を認識するための機械で読み取り可能な手段としても使用することができる。そのため、コレステリック液晶材料の色変化性は、同時に、材料の光学的（例えばスペクトル）性質が分析される認証法において、秘密裏又は半秘密裏のセキュリティ要素としても使用することができる。上記のように、コレステリック液晶材料の光学的特性には干渉効果が含まれる。色の干渉効果及び強い色変化性を生成するように、又は示すように、本明細書に記載されるコレステリック液晶材料は、吸収表面又は背景、好ましくは十分に暗い色、より好ましくは黒色の表面又は背景の上に直接又は間接的に存在することが好ましい。用語「吸収表面」は、光の可視スペクトルの少なくとも一部を吸収する層、好ましくは暗色の表面、最も好ましくは黒色の表面を言う。
【００３２】
[037]発光性材料は、セキュリティの用途でマーキング材料として広く使用されている。発光性化合物は、無機（無機母体結晶や発光イオンをドープしたガラス）である場合も、有機又は有機金属（（１つ又は複数の）発光イオンと（１つ又は複数の）有機リガンドの錯体）物質である場合もある。発光性化合物は、それらに作用する特定種類のエネルギーを吸収し、その後その吸収したエネルギーの少なくとも一部を電磁放射線として放出することができる。発光性化合物は、化合物を特定の波長の光に当て、発される光を分析することによって検出される。ダウンコンバートする発光性化合物は、より高い周波数（より短い波長）の電磁放射線を吸収し、少なくともその一部をより低い周波数（より長い波長）で再放出する。アップコンバートする発光性化合物は、より低い周波数の電磁放射線を吸収し、少なくともその一部をより高い周波数で再放出する。蛍光性化合物とリン光性化合物は共に、本明細書に記載されるセキュリティ要素に含まれる像を実現するのに適する。本発明のための発光色素は当技術分野で知られており、ナフタルイミド、クマリン、ローダミン、フルオレセイン、ジスチリルビフェニル、スチルベン、シアニン、フタロシアニン、キサンテン、チオキサンテン、ナフトラクタム、アズラクトン、メタン、オキサジン、ピラゾリン、ポリピリジル−ルテニウム錯体、ポリピリジル−フェナジン−ルテニウム錯体、白金−ポルフィリン錯体、長寿命のユウロピウム錯体及びテルビウム錯体、並びにそれらの混合物、からなる群から選択することができる。本発明に適する色素の典型的な例は、例えば、Ｓｏｌｖｅｎｔ  Ｙｅｌｌｏｗ  ４４、Ｓｏｌｖｅｎｔ  Ｙｅｌｌｏｗ  ９４、Ｓｏｌｖｅｎｔ  Ｙｅｌｌｏｗ  １６０、Ｂａｓｉｃ  Ｙｅｌｌｏｗ  ４０、Ｂａｓｉｃ  Ｒｅｄ  １、Ｂａｓｉｃ  Ｖｉｏｌｅｔ  １０、Ａｃｉｄ  Ｒｅｄ  ５２、Ｙｅｌｌｏｗ  ｓ７９０、フルオレセインイソチオシアネート、トリス（２，２’−ビピリジル）−塩化ルテニウム、トリス（１，１０−フェナントロリン）−塩化ルテニウム、オクタエチル−白金−ポルフィリンである。顔料形態の発光性材料はインクに広く使用されている（米国特許第６  ５６５  ７７０号、国際公開第２００８／０３３０５９号、及び国際公開第２００８／０９２５２２号を参照されたい）。発光性材料の例には、とりわけ、国際公開第２００９／００５７３３号又は米国特許第７  １０８  ７４２号に記載されるものなどの遷移金属及び希土類イオン、希土類オキシ硫化物及び希土類金属錯体からなる群から選択される少なくとも１種の発光性カチオンがドープされた、非発光性カチオンの硫化物、オキシ硫化物、リン酸塩、バナジン酸塩などが含まれる。無機材料の例には、これらに限定されないが、Ｌａ２Ｏ２Ｓ：Ｅｕ、ＺｎＳｉＯ４：Ｍｎ、及びＹＶＯ４：Ｎｄが含まれる。発光性材料は、本明細書に記載されるセキュリティ要素を印刷するために選択される印刷法に応じて従来のインク組成物に組み込むことができる。適切なインク組成物の例は、例えばＴｈｅ  Ｐｒｉｎｔｉｎｇ  Ｉｎｋ  Ｍａｎｕａｌ，  Ｅｄ  Ｒ．Ｈ．Ｌｅａｃｈ，  Ｒ．Ｊ．Ｐｉｅｒｃｅ，  ５ｔｈ  Ｅｄｉｔｉｏｎで得ることができる。
【００３３】
[038]本明細書に記載されるセキュリティ要素は、パターンを順次照明した時に視覚的運動を生成するように少なくとも３つの層を含むパターンからなり、少なくとも３つの層は、類似する物の少なくとも３つの異なる姿態の連続を表すことが好ましい。本明細書に記載される少なくとも３つの層は、昼光下で見るか、又は観察した時に同じ色を有しても、異なる色を有してもよい。
【００３４】
[039]本発明の一実施形態によると、少なくとも３つの層の少なくとも２つが互いに隣接するか、或いは少なくとも３つの層が互いと隣接している。本発明の別の実施形態によると、少なくとも３つの層の少なくとも２つが、好ましくは２０ｍｍ未満の距離、より好ましくは１０ｍｍ未満の距離で離間しており、或いは、少なくとも３つの層が、好ましくは２０ｍｍ未満の距離、より好ましくは１０ｍｍ未満の距離で離間している。本発明の別の実施形態によると、少なくとも３つの層の少なくとも２つが互いに重なっており（すなわち互いに重畳している）、好ましくは部分的に重なり、或いは少なくとも３つの層が互いと重なっており、好ましくは部分的に重なっている。本発明の別の実施形態によると、少なくとも３つの層が組み合わせられて基材に配置され、例えば少なくとも３つの層のうち２つが互いに隣接し、第３の層が他の２つの隣接する層から離間しているか、少なくとも３つの層のうち２つが互いに隣接し、第３の層が他の２つの隣接する層の一方若しくは両方と重なるか、又は少なくとも３つの層のうち２つが離間し、第３の層が他の２つの離間した層の一方若しくは両方と重なっている。層が（部分的又は完全に）互いに重畳される場合は、各層が、その層に含まれる材料が特異的に相互作用する特定の電磁放射線が照射された時に可視になる必要がある。重畳される層の順序はその他の点では自由に選択することができ、例えば、第１の材料を含有している第１の層が第２及び第３の層の下に配置される必要はなく、第２の層と第３の層の間又はそれらの上に配置することもできる。
【００３５】
[040]少なくとも３つの層は特定の形状である必要はない。ただし、少なくとも３つの層の組み合わせは、類似する物の少なくとも３つの異なる姿態の連続を表すことが好ましく、すなわち少なくとも３つの層は、物の視覚的運動の連続的なステップを表し、前記物は例えばモチーフ、印、物体、人物、又は動物である。
【００３６】
[041]次いで本発明について非制限的な実施形態及び図面を用いてさらに説明する。図１Ａに、本発明のセキュリティ要素の一実施形態の側面図を示す。前記セキュリティ要素は、基材Ｓの上に設けられた３つの層１〜３を含む。図１Ｂ〜１Ｄは、組み合わさって順次式照明に当てられると車輪の形で表される物の視覚的運動を形成する前記３つの層１〜３の上面図を概略的に示す。図１Ｂ〜１Ｄは、前記車輪の３つの姿態の連続を表し、図１Ｅは図１Ｂ〜１Ｄの組み合わせを示すセキュリティ要素の上面図を表し、すなわち本発明の実施形態によるセキュリティ要素は３つの層１〜３の重畳によって形成される。図１Ｅは、図１Ｂ〜１Ｄに示す３つの層の組み合わせを示し、各層の車輪の回転軸は他の２つの層の車輪の回転軸と重畳され、車輪のスポークは離間しており、車輪の周縁部の部分的な表現は互いと部分的に重なり、そのため、順次式照明に当てられると、動きの印象、すなわち回転する車輪が観察者の目に作り出され、非常に効率的なセキュリティ要素として機能する。
【００３７】
[042]図２Ａ〜２Ｃは、本発明のセキュリティ要素の別の実施形態を概略的に表し、このセキュリティ要素は、組み合わさって順次式照明に当てられると渦巻きの形で表される物の視覚的運動を形成する３つの重畳された層を含む。組み合わせられると、図２Ａ〜２Ｃの３つの矩形が互いと重なり、それにより、順次式照明に当てられると動く立体的な渦巻きの視覚的運動を形成するセキュリティ要素を形成する。
【００３８】
[043]図３Ａ〜３Ｃは、本発明のセキュリティ要素の別の実施形態を概略的に表し、このセキュリティ要素は、組み合わさって順次式照明に当てられると馬車の形で表される物の視覚的運動を形成する３つの重畳された層を含む。図３Ａ〜３Ｃに示す３つの層の組み合わせは、本発明の一実施形態によるセキュリティ要素を提供し、いくつかの部分は重ね合わせられ（すなわち見る者には動きが見えない。例えば馬の頭、御者の体、及び車輪の回転軸を参照されたい）、いくつかの部分は離間しており（例えば車輪のスポークを参照されたい）、いくつかの部分は部分的に互いと重なっており（馬の脚を参照されたい）、そのため、順次式照明に当てられると、動きの印象、すなわち回転する車輪と馬の脚の動きが観察者の目に作り出され、非常に効率的なセキュリティ要素として機能する。
【００３９】
[044]図４Ａ〜４Ｃは、本発明のセキュリティ要素の別の実施形態を概略的に表し、このセキュリティ要素は、組み合わさって順次式照明に当てられるとボールの形で表される物の視覚的運動を形成する３つの層を含む。図４Ａ〜４Ｃに示される３つの層はすべて、各層の中心が直線に従って互いと位置合わせされて離間している。３つの層の組み合わせは、順次式照明に当てられると動きの印象を呈し、すなわち転がるボールが観察者の目に作り出され、非常に効率的なセキュリティ要素として機能する。或いは、３つの層の中心は放物線に従って互いと位置合わせされてもよい。
【００４０】
[045]図５Ａ〜５Ｃは、本発明のセキュリティ要素の別の実施形態を概略的に表し、このセキュリティ要素は、組み合わさって順次式照明に当てられると月の形で表される物の視覚的運動を形成する３つの層を含む。図５Ａ〜５Ｃに示される３つの層はすべて、各層の中心が直線に従って互いと位置合わせされて離間している。３つの層の組み合わせは、順次式照明に当てられると動きの印象を呈し、すなわち満ち欠けする月が観察者の目に作り出される。或いは、３つの層の中心は放物線に従って互いと位置合わせされてもよい。
【００４１】
[046]図５Ｄ〜５Ｇは、本発明のセキュリティ要素の別の実施形態を概略的に表し、このセキュリティ要素は、組み合わさって順次式照明に当てられると月の形で表される物の視覚的運動を形成する３つの層を含む。図５Ｄ〜５Ｆは、前記月の異なる姿態をもたらす前記セキュリティ要素の重畳した層の上面図である。図５Ｇは、図５Ｄ〜５Ｆに示す層の重畳を示す前記セキュリティ要素の上面図である。３つの層の組み合わせは、順次式照明に当てられると動きの印象を呈し、すなわち満ち欠けする月が観察者の目に作り出される。
【００４２】
[047]本明細書に記載されるセキュリティ要素は、セキュリティ文書を不正行為や不法な複製から保護するために特に適する。本明細書には、セキュリティ文書を不正行為や不法な複製から保護するための本明細書に記載されるセキュリティ機能の使用、及び本明細書に記載されるセキュリティ要素を含んでいるセキュリティ文書も記載される。用語「セキュリティ文書」は、偽造や不法な複製の試みを受ける可能性があるような価値を持ち、通例少なくとも１つのセキュリティ機能で偽造や不正行為から保護される文書を言う。セキュリティ文書の例には、これらに限定されないが、高価値の文書及び高価値の商品が含まれる。高価値の文書の典型的な例には、これらに限定されないが、紙幣、証書、券、小切手、領収証、収入印紙や税額の表示（ｔａｘ  ｌａｂｅｌ）、契約書等、パスポートやＩＤカードなどの身元証明文書、ビザ、銀行カード、クレジットカード、トランザクションカード、アクセス文書、セキュリティバッジ、入場券、交通機関の乗車券、セキュリティスレッド等が含まれる。用語「高価値の商品」は、包装材料、特に、例えば純正の薬品などの包装の内容物を保証するために１つ又は複数のセキュリティ機能を含む場合がある、医薬品、化粧品、電子機器、又は食品業界の包装材料を言う。そのような包装材料の例には、これらに限定されないが、ブランドが本物であることを証明するラベル、タックスバンダロール、改ざん防止用のラベル及びシールが含まれる。
【００４３】
[048]本明細書には、本明細書に記載されるセキュリティ要素を含んでいるセキュリティ文書を製造するプロセス、並びにそれにより得られるセキュリティ文書も記載される。本明細書に記載されるセキュリティ文書は、第１の材料、好ましくは１つ又は複数の左円偏光コレステリック液晶材料を含む少なくとも第１のインク組成物を好ましくはコーティング法又は印刷法で基剤に塗布することにより第１の層を形成し、第２の材料、好ましくは１つ又は複数の右円偏光コレステリック液晶材料を含む第２のインク組成物を好ましくはコーティング法又は印刷法で塗布することにより第２の層を形成し、第３の材料、好ましくは１つ又は複数の発光性材料を含む第３のインク組成物を好ましくはコーティング法又は印刷法で塗布することにより第３の層を形成し、それにより、第１、第２、及び第３の電磁放射線を別々に発することが可能な光源で順次式照明に当てた時に視覚的な運動効果をもたらすパターンを形成するステップを含むプロセスにより製造することができ、当該パターンは、類似する物の少なくとも３つの異なる姿態の連続を表す少なくとも３つの層を含むことが好ましい。
【００４４】
[049]少なくとも第１、第２、及び第３のインク組成物はコーティング法又は印刷法によって塗布されることが好ましい。前記第１の材料、好ましくは本明細書に記載される１つ又は複数の左円偏光コレステリック液晶材料を含む第１の層と、前記第２の材料、好ましくは本明細書に記載される１つ又は複数の右円偏光コレステリック液晶材料を含む第２の層はコーティング法又は印刷法で塗布されることが好ましく、より好ましくは、インクジェット、スクリーン印刷、フレキソ印刷、及び輪転グラビア、からなる群から独立して選択される印刷法、より好ましくは、スクリーン印刷、フレキソ印刷、及び輪転グラビア、からなる群から独立して選択される印刷法で塗布されることが好ましい。前記第３の材料、好ましくは本明細書に記載される１つ又は複数の発光性材料を含む第３の層はコーティング法又は印刷法で塗布されることが好ましく、より好ましくは、コーティング、インクジェット、スクリーン印刷、フレキソ印刷、輪転グラビア、凹版印刷（当技術分野では銅版鋼型印刷とも呼ばれる）、及びオフセット印刷、からなる群から選択される印刷法で塗布されることが好ましい。当業者に知られるように、インクジェットは、粒子サイズが大きい顔料及び／又は粒子を含むインク組成物の塗布には使用すべきでない。
【００４５】
[050]スクリーン印刷（当技術分野ではシルクスクリーン印刷とも呼ばれる）はステンシル法であり、例えば木製又は金属製（例えばアルミニウムやステンレス鋼）の枠にきつく張られた、絹、例えばポリアミドやポリエステルなどの合成繊維製のモノフィラメント又はマルチフィラメント、又は金属糸の目の細かい織地の網で支持された型版を通してインクが表面に移される。或いは、スクリーン印刷の網は、化学エッチング、レーザーエッチング、又はガルバニ式で形成された多孔の金属箔、例えばステンレス鋼箔であってもよい。網の孔は、非像領域では塞がれ、像領域では開いたままにされ、像の担持体はスクリーンと呼ばれる。スクリーン印刷は平台式である場合も回転式である場合もある。スクリーン印刷については、例えば、Ｔｈｅ  Ｐｒｉｎｔｉｎｇ  ｉｎｋ  ｍａｎｕａｌ，  Ｒ．Ｈ．Ｌｅａｃｈ  ａｎｄ  Ｒ．Ｊ．Ｐｉｅｒｃｅ，  Ｓｐｒｉｎｇｅｒ  Ｅｄｉｔｉｏｎ，  ５ｔｈ  Ｅｄｉｔｉｏｎ，５８〜６２頁、及びＰｒｉｎｔｉｎｇ  Ｔｅｃｈｎｏｌｏｇｙ，  Ｊ．Ｍ．Ａｄａｍｓ  ａｎｄ  Ｐ．Ａ．Ｄｏｌｉｎ，  Ｄｅｌｍａｒ  Ｔｈｏｍｓｏｎ  Ｌｅａｒｎｉｎｇ，  ５ｔｈ  Ｅｄｉｔｉｏｎ，２９３〜３２８頁にさらに記載される。本明細書に記載されるセキュリティ要素の第１の像、第２の像、及び第３の像をスクリーン印刷法で印刷するために、当技術分野で知られるプロセス、例えばＰｒｉｎｔｉｎｇ  Ｔｅｃｈｎｏｌｏｇｙ，  ＪＭ  Ａｄａｍｓ  ａｎｄ  Ｐ．Ａ．Ｄｏｌｉｎ，  Ｄｅｌｍａｒ  Ｔｈｏｍｓｏｎ  Ｌｅａｒｎｉｎｇ，  ５ｔｈ  Ｅｄｉｔｉｏｎ，３０２〜３１２頁に記載されるように型版を作製することによって、各像に対応する型版を作製する。
【００４６】
[051]輪転グラビアは、シリンダの表面に像の要素が彫刻される印刷法である。非像領域は一定の元の高さのままとなる。印刷の前に、印刷版全体（印刷しない要素と印刷する要素）をインクに浸し、インクで満たす。印刷の前に、ワイパー又はブレードで像のない部分からインクを除去し、インクがセルだけに残るようにする。典型的には１〜４バールの範囲の圧力と、基材とインクの間の付着力によって、像がセルから基材に転写される。用語「輪転グラビア」は、例えば別の種類のインクに依拠する凹版印刷法（当技術分野では彫刻鋼型又は銅版印刷法とも呼ばれる）は包含しない。さらなる詳細は「Ｈａｎｄｂｏｏｋ  ｏｆ  ｐｒｉｎｔ  ｍｅｄｉａ」，Ｈｅｌｍｕｔ  Ｋｉｐｐｈａｎ，  Ｓｐｒｉｎｇｅｒ  Ｅｄｉｔｉｏｎ，４８頁で得られる。
【００４７】
[052]フレキソ印刷は、ドクターブレード、好ましくはチャンバー式のドクターブレード、アニロックスローラ、及びプレートシリンダを備えた装置を使用することが好ましい。アニロックスローラは、その容量及び／又は密度がインクの塗布量を決定する小さなセルを有すると有利である。ドクターブレードはアニロックスローラに当接し、同時に余分なインクを掻き取る。アニロックスローラはインクをプレートシリンダに移し、プレートシリンダが最終的にインクを基材に移す。設計された感光性樹脂製のプレートを使用して特定のデザインを実現することができる。プレートシリンダは、ポリマー材料又はエラストマー材料で作製することができる。ポリマーは主としてプレートの感光性樹脂として使用され、時にスリーブ表面の継ぎ目のない被覆としても使用される。感光性樹脂製のプレートは、紫外（ＵＶ）光で固化する感光性ポリマーで作製される。感光性樹脂製のプレートは、必要な大きさに切断され、ＵＶ光露出装置の中に置かれる。プレートの一方の側は全体をＵＶ光に曝露して、プレートの基部を固化又は硬化させる。次いでプレートをひっくり返して、未硬化側に逆の作業を行い、プレートをさらにＵＶ光に曝露する。それによりプレートの像領域が固化する。次にプレートを処理して非像領域から固化していない感光性樹脂を除去し、その結果、それらの非像領域のプレート表面の高さが低くなる。処理後、プレートを乾燥させ、後露光量のＵＶ光を与えてプレート全体を硬化させる。フレキソ印刷のプレートシリンダの作製については、Ｐｒｉｎｔｉｎｇ  Ｔｅｃｈｎｏｌｏｇｙ，  Ｊ．Ｍ．Ａｄａｍｓ  ａｎｄ  Ｐ．Ａ．Ｄｏｌｉｎ，  Ｄｅｌｍａｒ  Ｔｈｏｍｓｏｎ  Ｌｅａｒｎｉｎｇ，  ５ｔｈ  Ｅｄｉｔｉｏｎ，３５９〜３６０頁に記載される。
【００４８】
[053]本発明で使用するインク組成物は、上述のコーティング法又は印刷法向けの従来のインク組成物である。少なくとも第１、第２、及び第３の材料は、要求される視覚的な運動効果が十分に観察されるような量でインク組成物に組み込まれる。上記材料の量は、要求される効果によって変わり、当業者により通常の知識で容易に調整することができる。本明細書に記載されるインク組成物が１つ又は複数のコレステリック液晶材料、特に左円偏光コレステリック液晶材料又は右円偏光コレステリック液晶材料を含む場合は、１つ又は複数のコレステリック液晶材料は、約５〜約３０重量％の量で存在するコレステリック液晶顔料であることが好ましく、重量パーセントはインク組成物の総重量を基準とする。
【００４９】
[054]本明細書に記載されるインク組成物が１つ又は複数の発光性材料を含む場合は、１つ又は複数の発光性材料は約０．１〜約４０重量％の量で存在することが好ましく、重量パーセントはインク組成物の総重量を基準とする。
【００５０】
[055]本明細書に記載されるセキュリティ要素又はセキュリティ文書を製造するプロセスは、少なくとも第１、第２、及び第３のインク組成物を固化させることにより少なくとも３つの層を形成するステップを含む。本明細書に記載される少なくとも第１、第２、及び第３のインク組成物は、当業者に知られるように各種方法で固化させることができる。固化ステップは、一般には、基材に付着した実質的に固体の材料が形成されるようにインク組成物の粘度を増大させる任意のステップとすることができる。固化ステップは、溶剤などの揮発成分の揮発、及び／又は水分の蒸発に基づく物理的なプロセスを伴うことができる（すなわち物理的な乾燥）。本発明では、温風、赤外線、又は温風と赤外線の組み合わせを使用することができる。或いは、固化プロセスは、インク組成物に含まれる結合剤と任意選択の開始剤化合物及び／又は任意選択の架橋化合物との間の硬化、重合、又は架橋などの化学反応を含んでもよい。そのような化学反応は、物理的な固化プロセスに関して上述したように熱又はＩＲ放射によって開始させることができるが、これらに限定されないが、紫外線−可視光の放射による硬化（以降「ＵＶ−Ｖｉｓ硬化」と呼ぶ）や電子ビームの放射による硬化（Ｅビーム硬化）などの放射による硬化を含む放射機構、酸素重合（酸化的網状化。通例は、酸素と、コバルトを含有する触媒、マンガンを含有する触媒、バナジウムを含有する触媒などの１つ又は複数の触媒との合同作用によって誘発される）、架橋反応、又はそれらの任意の組み合わせ、による化学反応の開始を含むことが好ましい。したがって、本明細書に記載される少なくとも第１、第２、及び第３のインク組成物は、放射線硬化性インク、熱乾燥性組成物、酸化により乾燥する凹版印刷インク、及びそれらの組み合わせ、からなる群から選択することができる。適切なインク組成物の例は、例えばＴｈｅ  Ｐｒｉｎｔｉｎｇ  Ｉｎｋ  Ｍａｎｕａｌ，  Ｅｄ  Ｒ．Ｈ．Ｌｅａｃｈ，  Ｒ．Ｊ．Ｐｉｅｒｃｅ，５ｔｈ  Ｅｄｉｔｉｏｎで知ることができる。
【００５１】
[056]本明細書に記載される少なくとも第１、第２、及び第３のインク組成物は、機械で読み取り可能な１つ又は複数の材料をさらに含むことができる。存在する場合、機械で読み取り可能な１つ又は複数の材料は、磁性材料、導電性材料、赤外線吸収性材料、及びそれらの混合物、からなる群から選択されることが好ましい。本明細書で使用される用語「機械で読み取り可能な材料」は、装置又は機械で検出することができ、層に含めることにより、検出及び／又は認証用の特定の機器を使用して前記層又は前記層を含んでいる物品を認証する手段を付与する、少なくとも１つの特徴的な性質を呈する材料を言う。
【００５２】
[057]本明細書に記載される少なくとも第１、第２、及び第３のインク組成物は、１つ又は複数の添加剤をさらに含むことができ、そのような添加剤には、これらに限定されないが、組成物の物理的、流動学的、及び化学的パラメータを調整するために使用される化合物及び材料が含まれ、例えば粘度（例えば溶剤や界面活性剤）、稠性（例えば、充填剤、増量剤、沈降防止剤、可塑剤）、起泡性（例えば消泡剤）、潤滑性（ワックス）、ＵＶ安定性（光安定剤）、並びに接着性等が含まれる。本明細書に記載される添加剤は、当技術分野で知られる量及び形態で本明細書に記載される１種又は複数種のインク中に存在することができ、そのような形態には、添加剤の寸法の少なくとも１つが１〜１０００ｎｍの範囲であるいわゆるナノ材料が含まれる。
【００５３】
[058]本明細書に記載される少なくとも第１、第２、及び第３のインク組成物は、液体インクを形成するすべての原料を分散、混合、及び／又は粉砕することによって調製することができる。本明細書に記載される少なくとも第１、第２、及び第３のインク組成物がＵＶ−Ｖｉｓ硬化性インクである場合には、すべての他の原料を分散又は混合するステップ中に、又は後の段階、すなわち液体インクの形成後に、１種又は複数種の光開始剤を組成物に添加してもよい。
【００５４】
[059]本発明に適する基材には、これらに限定されないが、紙又はセルロースなどの他の繊維材料、紙を含有する材料、プラスチック又はポリマー基材、複合材料、金属又は金属被覆材料、ガラス、セラミック、及びそれらの組み合わせ、が含まれる。プラスチック又はポリマー基材の典型的な例は、ポリプロピレン（ＰＰ）、ポリエチレン（ＰＥ）、ポリカーボネート（ＰＣ）、ポリ塩化ビニル（ＰＶＣ）、及びポリエチレンテレフタレート（ＰＥＴ）製の基材である。複合材料の典型的な例には、これらに限定されないが、紙及び上記の材料などの少なくとも１つのプラスチック又はポリマー材料、並びに、上記のような紙状材料又は繊維材料に組み込まれたプラスチック及び／又はポリマー繊維からなる多層構造又は積層体が含まれる。セキュリティのレベルと、セキュリティ文書の偽造や不法な複製に対する耐性をさらに高めるために、基材は、透かし、セキュリティスレッド、繊維、プランシェット（ｐｌａｎｃｈｅｔｔｅ）、発光性化合物、窓、箔、転写図柄、被覆、及びそれらの組み合わせを含有することができる。
【００５５】
[060]本明細書に記載される少なくとも第１、第２、及び第３のインク組成物が塗布される本明細書に記載される基材は（重畳した層の場合は、１つのみの層が基材に塗布され、その他の層は先に塗布された層の上に塗布される）、セキュリティ文書自体の一部分とするか、或いは、本明細書に記載される少なくとも第１、第２、及び第３のインク組成物は、例えばセキュリティスレッド、セキュリティストライプ、箔、転写図柄、又はラベルなどの補助的な基材に塗布され、その後、別のステップで、これらに限定されないが高価値の文書及び高価値の商品などのセキュリティ文書に移される。
【００５６】
[061]本明細書に記載されるセキュリティ文書は、本明細書に記載されるセキュリティ要素の下又は上のどちらかに１つ又は複数の追加的な層又は被覆をさらに含むことができ、ここで、１つ又は複数の追加的な層が第１及び第２の層の円偏光と干渉せず、且つ第３の層の発光と干渉しないようにすることを条件とする。例えば基材の材料や、表面の高低差、又は表面の不均質性が原因で基材と本明細書に記載されるセキュリティ要素との間の付着が不十分である場合には、基材と要素との間に追加的な層、被覆、又は下塗剤を当業者に知られるように塗布することもできる。
【００５７】
[062]上記のように、コレステリック液晶材料の色変化性は、１つ又は複数のコレステリック液晶材料を含むインク組成物が、吸収表面又は背景、好ましくは十分に暗色の表面又は背景、さらに好ましくは黒色の表面又は背景に直接又は間接的に塗布される場合に容易に観察される。本発明の一実施形態によると、本明細書に記載されるセキュリティ文書の基材は、少なくとも第１、第２、及び第３の層が塗布される吸収表面を有し、機械や装置を使用せずにコレステリック液晶材料の色変化性を視覚的に観察するために、それ以上の層や被覆は必要ない。本発明の別の実施形態によると、本明細書に記載されるセキュリティ文書の基材は吸収層ではなく、したがって、本明細書に記載されるセキュリティ文書は、十分に暗い色の、好ましくは黒色の追加的な背景を、基材とインク組成物との間にさらに含む。暗色の背景が存在する場合、暗色の背景はインク組成物を塗布する前に基材に塗布される。暗色の背景を塗布するために使用される典型的な方法には、これらに限定されないが、インクジェット、オフセット、スクリーン印刷、フレキソ印刷、及び輪転グラビアが含まれる。
【００５８】
[063]汚損に対する耐久性又は化学耐性及び清浄性を高め、したがってセキュリティ文書の流通寿命を延ばすために、本明細書に記載される要素の上に１つ又は複数の保護層を塗布することができ、ここで、１つ又は複数の保護層が第１及び第２の層の円偏光と干渉せず、且つ第３の層の発光と干渉しないようにすることを条件とする。存在する場合、１つ又は複数の保護層は、通例、透明であるか又はわずかに着色又は彩色され、任意の度合いの光沢を持つ保護ワニスで作製される。保護ワニスとしては、放射線硬化性組成物、熱乾燥性組成物、又はそれらの組み合わせを使用することができる。１つ又は複数の保護層は放射線硬化性組成物、より好ましくはＵＶ−Ｖｉｓ硬化性組成物で作製されることが好ましい。
【００５９】
[064]本明細書には、セキュリティ要素に順次照明が当たった時に視覚的運動を作り出す方法も記載され、この方法は、
ｉ）上記のセキュリティ要素を用意するステップ、及び
ｉｉ）少なくとも前記第１、第２、及び第３の電磁放射線を別々に発することが可能な光源で前記セキュリティ要素を順次照明するステップ
を含む。
【００６０】
[065]観察者に対して本明細書に記載されるセキュリティ要素の視覚的運動の印象を作り出すために、本明細書に記載されるセキュリティ要素の少なくとも第１、第２、及び第３の層は、約２Ｈｚ〜約１０Ｈｚ、好ましくは約２Ｈｚ〜約８Ｈｚ、好ましくは約２Ｈｚ〜約４Ｈｚの周波数の適切な電磁放射線で順次式に照らされる。第１、第２、及び第３の層はそれぞれ、他の像に対してその像のコントラストを高める特定の電磁放射線で順次式に照らされる。
【００６１】
[066]順次式照明は、セキュリティ要素の少なくとも一部分を照らす電磁放射線を生成するように構成された少なくとも３つの光源を備える照明装置を使用して行われる。セキュリティ要素が第１の層、第２の層、及び第３の層を含む場合、光源は、第１の電磁放射線、第２の電磁放射線、及び第３の電磁放射線を生成するように構成される。光源は、可視波長、赤外線波長、又は赤外線波長の少なくとも１つである電磁放射線を生成するように構成することができる。また、光源は、例えば照明の量などのいくつかの照明特性（例えば指定された電球の数、電磁放射線がセキュリティ要素に当てられる角度、電磁放射線の波長、光波又はビームの円偏光、又はそれらの任意の組み合わせ）に基づいて、各種の構成で電磁放射線を生成するように構成することができる。光源は、例えば、発光ダイオード（ＬＥＤ）、レーザーダイオード（ＬＤ）、白熱灯、蛍光灯、紫外線灯、赤外線灯、又は他の適切な種類のライト、などの適切な種類の電磁放射線を含むことができる。各ライトは、選択的に電源を入れて発光させ、又は電源を切ることができる。セキュリティ要素が第１の層、第２の層、及び第３の層を含む場合、光源は３セットのライト、好ましくは３セットの（１つ又は複数の）ＬＥＤを含む。
【００６２】
[067]本発明の一実施形態によると、セキュリティ要素が、ａ）１つ又は複数の左円偏光コレステリック液晶材料を含む第１の層、ｂ）１つ又は複数の右円偏光コレステリック液晶材料を含む第２の層、及びｃ）１つ又は複数の発光性材料を含む第３の層を含む場合、順次式照明を当てるステップ（ステップｉｉ））は、３セットのランプ、好ましくは３セットのＬＥＤを備える光源を使用して行われ、前記セットのうち第１のセットは左偏光フィルタを備え、前記セットのうち第２のセットは右偏光フィルタを備え、前記セットのうち第３のセットはＵＶランプ、可視光ランプ、又はＩＲランプからなる。当業者に知られるように、左円偏光及び右円偏光するセキュリティ要素の第１及び第２の層は各種方式で得ることができるが、各方式で、光源は左円偏光フィルタ及び右円偏光フィルタを備えなければならず、これは、ａ）２つの装置を使用し、一方が左円偏光フィルタを備え、もう一方が右円偏光フィルタを備えるか、ｂ）分光手段と左偏光及び右偏光選択手段とを有する単一の装置を使用して、セキュリティ要素の左右の偏光像に対応する分割像を得るか、又は、ｃ）単一の装置を、独国特許出願公開第１０２  １１  ３１０号に開示されるものなどの電気光学フィルタと組み合わせて使用することにより、右円偏光と左円偏光を交互に選択できるようにすることにより実現することができる。
【００６３】
[068]本明細書に記載されるパターンの設計と、順次式照明下で作り出そうとする視覚的運動に応じて、順次式照明の順序は、少なくとも３種の電磁放射線の規則的な順序（すなわち電磁放射線Ａ、電磁放射線Ｂ、電磁放射線Ｃ、電磁放射線Ａ、電磁放射線Ｂ、電磁放射線Ｃなど）としても、又は少なくとも３種の電磁放射線の規則的でない順序（すなわち電磁放射線Ａ、電磁放射線Ｂ、電磁放射線Ｃ、電磁放射線Ｂ、電磁放射線Ａ、電磁放射線Ｃなど）としてもよい。
【００６４】
[069]本明細書には、本明細書に記載されるセキュリティ要素を含んでいるセキュリティ文書を認証する方法も記載され、視覚的運動を作り出す上記方法は、視覚的な運動効果を検証することにより前記セキュリティ要素を認証するステップをさらに含む。
【００６５】
[070]順次式照明に当てられた時に動的な視覚的運動によってもたらされる、本明細書に記載されるセキュリティ要素の特に高いセキュリティレベルに加えて、本明細書に記載される少なくとも３つの層の追加的な性質を、前記セキュリティ要素を含んでいるセキュリティ文書が真正であることを保証するための認証手段としてさらに使用することができる。少なくとも３つの層を含むパターンから作製されるセキュリティ要素は、第１及び第２のコレステリック液晶層のコレステリック液晶材料の反射率や第３の層の発光性など、各層に関連付けられた検出可能なパラメータに対応する装置又は機械で読み取ることができる。特に、少なくとも３つの層は、同じ反射率を呈する場合も、異なる反射率を呈する場合もある（これは、それら少なくとも３つの層が呈する選択的な反射帯の位置に関係する）。その情報は、後に、適切な読み取り装置を使用して検出可能なパラメータを測定することに基づいて、セキュリティ要素又は前記セキュリティ要素を含んでいるセキュリティ文書を識別するために、例えばバイナリーコードとしてデータベースに記憶しておくことができる。そして、データベースの検索を行って、測定されたセキュリティ要素又は前記セキュリティ要素を含んでいるセキュリティ文書を、データベースに記憶されたコードと照合することができる。
【実施例】
【００６６】
[071]次いで、本発明について非制限的な例との関連でより詳細に説明する。
【００６７】
[072]第１の層、第２の層、及び第３の層を含むセキュリティ要素を、第１のインク組成物（Ｉ１）、第２のインク組成物（Ｉ２）、及び第３のインク組成物（Ｉ３）を黒色のコート紙にスクリーン印刷することで作製し、前記３種のインクはＵＶ硬化性のスクリーン印刷インクであった。
インク組成物は以下の配合を有した。
【００６８】
【表１】
0006286699.tif 000002
【００６９】
[073]表１に記載の原料を混合することにより１００ｇの各インク組成物Ｉ１〜Ｉ３を調製した。界面活性剤及び顔料を除くすべての原料を、４ｃｍの大きさのプロペラを備えるディスパーマット（Ｄｉｓｐｅｒｍａｔ）（登録商標）装置で、３００〜４００ｒｐｍで１分間、１５００ｒｐｍで１５分間混合した。顔料及び界面活性剤を加え、その結果得られた混合物を１５分間にわたり３００〜４００ｒｐｍで混合した。温度は、全製造プロセスにわたって４５℃を超えることがないように制御した。
【００７０】
[074]インク組成物Ｉ１はスクリーン印刷法（７７−５５Ｙシルクスクリーンを１０ｃｍ幅のブレードと共に使用）で手作業により基材に塗布し、ＵＶ光で固化させて（それぞれ１５０Ｗ／ｃｍの線形パワーを生じる１５ＡのＧａ／Ｉｎランプ及びＨｇランプの照明下、１００ｍ／分の速度で２度通過させた）、図１Ａに対応する第１の層を形成した。インク組成物Ｉ２は、上記と同じスクリーン印刷法で、第１の層を含む基材と位置を合わせて塗布し、すなわち、車輪の回転軸が重なり、車輪のスポークが離間し、車輪の周縁部の部分的な表現が互いと部分的に重なるように塗布し、上記のように固化させて、第１の像と位置合わせされた図１Ｂに対応する第２の層を形成した。インク組成物Ｉ３は、上記と同じスクリーン印刷法で、第１の層及び第２の層を含む基材と位置を合わせて塗布し、すなわち、車輪の回転軸が重なり、車輪のスポークが離間し、車輪の周縁部の部分的な表現が部分的に重なるように塗布し、上記のように固化させて、第１の像及び第２の像と位置合わせされた図１Ｃに対応する第３の層を形成した。３つの層の正確な配置は、それらのスクリーンが透明であるために、作業者によって実現することができた。
【００７１】
[075]そのようにして得られた、図１Ｄに対応する第１、第２、及び第３の層を含むセキュリティ要素を次いで順次式照明に当てることにより、観察者に対して視覚的運動の印象を作り出した。順次式照明は、２つのＬＥＤからなるセットを３つ備えたフラッシュランプである光源を使用して行い、第１のセット（Ａ）は、左偏光フィルタを取り付けた２つの白色光ＬＥＤ（１００００ｍｃｄ）で構成され、第２のセット（Ｂ）は、右偏光フィルタを取り付けた２つの白色光ＬＥＤ（１００００ｍｃｄ）で構成され、第３のセット（Ｃ）は２つの３９５ｎｍ  ＵＶ  ＬＥＤで構成された。６つのＬＥＤはフラッシュランプに組み付けて溶接して、各ＬＥＤの光線がセキュリティ要素の同じ領域、すなわち印刷されたセキュリティ要素の中心部に向かって収束するようにした。順次式照明は、２．５Ｈｚの周波数で、少なくとも３つのＬＥＤセットの規則的な順序（すなわちＡ、Ｂ、Ｃ、Ａ、Ｂ、Ｃなど）に従って行った。
【図１Ａ】
0006286699.tif 000003
【図１Ｂ】
0006286699.tif 000004
【図１Ｃ】
0006286699.tif 000005
【図１Ｄ】
0006286699.tif 000006
【図１Ｅ】
0006286699.tif 000007
【図２Ａ】
0006286699.tif 000008
【図２Ｂ】
0006286699.tif 000009
【図２Ｃ】
0006286699.tif 000010
【図３Ａ】
0006286699.tif 000011
【図３Ｂ】
0006286699.tif 000012
【図３Ｃ】
0006286699.tif 000013
【図４Ａ】
0006286699.tif 000014
【図４Ｂ】
0006286699.tif 000015
【図４Ｃ】
0006286699.tif 000016
【図５Ａ】
0006286699.tif 000017
【図５Ｂ】
0006286699.tif 000018
【図５Ｃ】
0006286699.tif 000019
【図５Ｄ】
0006286699.tif 000020
【図５Ｅ】
0006286699.tif 000021
【図５Ｆ】
0006286699.tif 000022
【図５Ｇ】
0006286699.tif 000023